(57)【要約】【課題】１回に適切なカロリー量のペットフードをペットに与えることができ、また容器本体からのペットフードの取り出しを簡便に行うことができ、さらにペットフードの長期保存性に優れ、容器本体の耐熱性、強度等に優れたペットフード製品を提供すること。【解決手段】  小分けしたペットフード製品であって、ペットに１回に与えるべきカロリー量のペットフードが可撓性プラスチック材の容器本体１に収納され、該容器本体１の開口部がシート状の蓋材２で剥離可能に密封されている。容器本体１は、全体が深底カップ形状であり、底面部が湾曲面形状となっており、底面中央部に凹部１ｃが形成されている。また上縁周縁部にフランジ部１ｂが形成され、該フランジ部１ｂに蓋材２を剥離可能に溶着している。蓋材２はガスバリアー性及び耐熱性に優れた密封シートであり、容器本体１はガスバリアー性及び耐熱性に優れたプラスチック材で構成されている。【選択図】図３
0003134051.tif 000002
【実用新案登録請求の範囲】
【請求項１】
小分けしたペットフード製品であって、ペットに１回に与えるべきカロリー量のペットフードが可撓性プラスチック材の容器本体に収納され、該容器本体の開口部がシート状の蓋材で剥離可能に密封されていることを特徴とするペットフード製品。
【請求項２】
前記容器本体は、全体が深底カップ形状であることを特徴とする請求項１に記載のペットフード製品。
【請求項３】
前記容器本体は、底面部が湾曲面形状であることを特徴とする請求項１又は２に記載のペットフード製品。
【請求項４】
前記容器本体の上縁周縁部にフランジ部を形成するとともに、該フランジ部に前記蓋材を剥離可能に溶着したことを特徴とする請求項１〜３のいずれかに記載のペットフード製品。
【請求項５】
前記容器本体の底面中央部に、該容器本体を水平面に自立させるための凹部を形成したことを特徴とする請求項１〜４のいずれかに記載のペットフード製品。
【請求項６】
前記蓋材はガスバリアー性及び耐熱性に優れた密封シートであることを特徴とする請求項１〜５のいずれかに記載のペットフード製品。
【請求項７】
前記容器本体はガスバリアー性及び耐熱性に優れたプラスチック材で構成されていることを特徴とする請求項１〜６のいずれかに記載のペットフード製品。
【請求項８】
前記蓋材は、金属箔を含む多層シートであることを特徴とする請求項１〜７のいずれかに記載のペットフード製品。
【請求項９】
前記金属箔は、アルミ箔であることを特徴とする請求項８に記載のペットフード製品。
【請求項１０】
前記容器本体は、指で押圧して変形可能な硬度を有していることを特徴とする請求項１〜９のいずれかに記載のペットフード製品。
【請求項１１】
前記容器本体に収納されるペットフードは、ウエットタイプのペットフードであることを特徴とする請求項１〜１０のいずれかに記載のペットフード製品。
【考案の詳細な説明】
【技術分野】
【０００１】
本考案は、ペットに１回に与える量のペットフードを収納したペットフード製品に関する。
【背景技術】
【０００２】
猫、犬等のペットに与えるペットフードは、魚類や鶏、豚、牛等の家畜類の肉、骨、内臓等を加工処理し、ウエットタイプのものは缶詰にし、ドライタイプのものは袋詰めにして市販されている。しかしながら、缶詰はいったん開缶すると、残り物の保管が面倒であり、またドライタイプでも、いったん保存袋を開封すると、湿気を吸収しやすくなるなどの問題がある。さらに、いずれのタイプのペットフードの場合でも、飼い主が目分量で小分けして与えるため、１回に与える分量にバラツキがある。このため、ペットが残して無駄になるという問題や、必要カロリーを超えて与えてしまい、ペットの肥満、各種疾病の原因になるなども問題が生じている。
【０００３】
一方、ペットフード製品として、アルミニウムを主素材とする容器にペットフードを入れ、上面開口部を密封シートで密封したもの（特許文献１）、餌皿として使用できる大きさの合成樹脂製の容器体に餌物を詰め、開口部を通気遮断シートで密封したもの（特許文献２）なども提案されているが、いずれも容器の容量も大きいため、材料費が高く付くこと、保管が嵩張ること、ペットフードの長期保存性に劣ること、容器が変形しやすく強度的にも劣ること、等の問題がある。
【０００４】
【特許文献１】特開２００３−１８９７９８号公報
【特許文献２】実公平２−３４２２６号公報
【考案の開示】
【考案が解決しようとする課題】
【０００５】
本考案の目的は、１回に適切なカロリー量のペットフードをペットに与えることができ、また容器本体からのペットフードの取り出しを簡便に行うことができ、さらにペットフードの長期保存性に優れ、容器本体の耐熱性、強度等に優れたペットフード製品を提供することにある。
【課題を解決するための手段】
【０００６】
上記課題を解決するため、請求項１の考案にあっては、小分けしたペットフード製品であって、ペットに１回に与えるべきカロリー量のペットフードが可撓性プラスチック材の容器本体に収納され、該容器本体の開口部がシート状の蓋材で剥離可能に密封されていることを特徴とする。
【０００７】
このようにすれば、蓋材を容器本体から剥離して開封した後、可撓性プラスチック材の容器本体を指で軽く押圧するだけで、所定分量のペットフードを簡便に取り出すことができる。ここでの容器本体の形状、容量は任意である。プラスチック材は安価に入手することができ、アルミニウム等の金属缶に比べれば成型加工が安価であり、蓋材との密着性も良い。また、ここでは容器本体の中に収納するペットフードはウエットタイプ、ドライタイプのいずれでもよい。
【０００８】
１回に与える適切なカロリー量は、ペットの種類、成長度にもよるが、例えば成猫の場合、１日当たりの適切なカロリー量は４９Ｋｃａｌ以下であり、1日３回（朝、昼、晩）１カップずつ与えると、１個の容器本体に収納されるペットフードのカロリー量は１５Ｋｃａｌである。容器本体は、このカロリー量のペットフード量を収納するだけの容積を有している。
【０００９】
また請求項２の考案にあっては、請求項１の考案において、前記容器本体は、全体が深底カップ形状であることを特徴とする。容器本体をこのような形状にすると、コンパクトな形状で必要量のペットフードの収納することができ、成形も容易である。
【００１０】
また請求項３の考案にあっては、請求項１又は２の考案において、前記容器本体は、底面部が湾曲面形状であることを特徴とする。このようにすると、特にウエットタイプのペットフードを容器本体から取り出すときに、容器本体を軽く押圧するだけでペットフードが容器底部内面から簡易に離れ、容器本体内に残留することなく湾曲面に沿って排出する。
【００１１】
また、請求項４の考案によるときは、請求項１〜３のいずれかの考案において、前記容器本体の上縁周縁部にフランジ部を形成するとともに、該フランジ部に前記蓋材を剥離可能に溶着したことを特徴とする。このようにすれば、フランジ部の幅分に蓋材を溶着することができ、適度の密着強度と剥離性が得られる。
【００１２】
また、請求項５の考案にあっては、請求項１〜４のいずれかの考案において、前記容器本体の底面中央部に、該容器本体を水平面に自立させるための凹部を形成したことを特徴とする。このようにすると、たとえば蓋材を開封した後に、一時的に容器本体を置いておきたい場合などに便利である。凹部の大きさ形状などは、容器本体が自立できるものであれば任意である。
【００１３】
また、請求項６の考案によるときは、請求項１〜５のいずれかの考案において、前記蓋材はガスバリアー性及び耐熱性に優れた密封シートであることを特徴とする。さらに、請求項７の考案にあっては、請求項１〜６のいずれかの考案において、前記容器本体はガスバリアー性及び耐熱性に優れたプラスチック材で構成されていることを特徴とする。
【００１４】
ここでの蓋材の密封シートは、プラスチック材、金属箔等の単層シート又はこれらを組み合わせた多層シートでもよい。ガスバリアー性及耐熱性に優れたプラスチック材としては、オレフィン系樹脂、塩化ビニル系樹脂、スチレン系樹脂等の熱可塑性樹脂が使用され、具体的にはエチレン−ビニルアルコール共重合体、塩化ビニリデン共重合体、アクリロニトリル系樹脂の単層シート又はこれらの単層シートとポリエステル、ポリプロピレン等の他の樹脂と組み合わせた多層シートが使用できる。
【００１５】
蓋材と容器本体をガスバリアー性及び耐熱性に優れた材質とすることにより、容器本体に収納されるペットフードの酸化を防ぎ、防湿性を保持することで長期保存性を高めることができる。また製品を包装したときガスの発生による包装体の破裂を防ぐことができる等、強度も向上する。さらに製品化後に行われる滅菌加工でも材質等が影響を受けることはない。
【００１６】
また、請求項８の考案にあっては、請求項１〜７のいずれかの考案において、前記蓋材は、金属箔を含む多層シートであることを特徴とする。さらに、請求項９の考案にあっては、請求項１〜８のいずれか考案において、前記金属箔は、アルミ箔であることを特徴とする。
【００１７】
蓋材の多層シートとしては、内層シートを金属箔とし、上層シートを熱可塑性ポリエステル、下層シートを前記容器本体とのヒートシール性に優れたプラスチック材とすることができる。蓋材は、容器本体から剥離するために薄厚シートが使用され、アルミ等の金属箔が薄厚でガスバリアー性にも優れている。上下層シートは、この金属箔を保護し耐熱性、防湿性、耐衝撃性、強度等を高めるとともに、下層シートは容器本体の特に上層シートとのヒートシール性が良いものが使用される。
【００１８】
また、請求項１０の考案にあっては、請求項１〜９のいずれかの考案において、前記容器本体は、指で押圧して変形可能な硬度を有していることを特徴とする。これにより容器本体からペットフードを簡易に押し出すことができる。
【００１９】
また、請求項１１の考案によれば、請求項１〜１０のいずれかの考案において、前記容器本体に収納されるペットフードは、ウエットタイプのペットフードであることを特徴とする。前記容器本体の形状、素材等は、適度の水分を含み、粘性を有しているウエットタイプのペットフードに適している。
【考案の効果】
【００２０】
上記した本考案のペットフード製品によれば、１回に適切なカロリー量のペットフードをペットに与えることができ、また容器本体からのペットフードの取り出しを簡便に行うことができる。さらにペットフード製品の長期保存性が優れており、容器本体の耐熱性、強度等にも優れている。
【考案を実施するための最良の形態】
【００２１】
以下、本考案の実施形態を添付図面に従って説明する。図１は、本考案に係るペットフード製品の全体斜視図であり、１は容器本体、２は容器本体１の上部開口部を密封するシート状の蓋材である。
【００２２】
容器本体１は、上部が開口し底面部が湾曲面形状となっている半楕球の深底カップ形状であり、上部周縁部には段縁部１ａが形成されている。また、図３に示すように段縁部１ａの上端全周部には、外側に延出したフランジ部１ｂが形成されている。さらに、図２に示すように容器本体１の底面中央部には凹部１ｃが形成されており、容器本体１を、底面部を下にして水平面に置いた状態で自立できるようになっている。
【００２３】
蓋材２は、容器本体１のフランジ部１ｂと略同大の円形シートであり、任意の位置にタブ部２ａが形成されている。この蓋材１は、タブ部２ａを除いて容器本体１のフランジ部１ｂにヒートシール等に溶着されており、タブ部２ａを持って蓋材２をフランジ部１ｂから引き剥がすことができるようになっている。
【００２４】
容器本体１と蓋材２は、いずれも多層シートであり、ガスバリアー性及び耐熱性に優れた素材で構成されている。容器本体１は、ここでは図５に示すようにポリオレフィン系樹脂の内層シート１０と、ポリプロピレンの上下層シート１２，１２と、これらを接着する接着シート１１，１１から構成されている。また、蓋材２は図４に示すように、アルミ箔の内層シート２０と、熱可塑性ポリエステルの上層シート２１と、オレフィン系樹脂の下層シート２２から構成されている。容器本体１の全層厚は１２００ミクロン、蓋材２の全層厚は８８ミクロンである。なお、ここでは容器本体１は透明又は半透明のプラスチック材を使用している。
【００２５】
前記容器本体１の容量は、ペットに１回に与える適切なカロリー量のペットフード量を収納する容量であり、ここでは猫用のウエットタイプのペットフード（カロリー量１５Ｋｃａｌ）を収納している。
【００２６】
容器本体１からペットフードを取り出すときは、蓋材２のタブ部２ａを持って蓋材２を容器本体１のフランジ部１ｂから引き剥がした後、容器本体１を下向きにして同本体１の胴部を指で軽く押圧すると、ペットフードは容器本体１の内面形状に沿ってスムースに餌トレイに落下する。
【００２７】
なお、上記容器本体１と蓋材２の材質について、食品衛生法の規格に従い、材質試験、溶出試験を行ったが、無害、無毒であり、安全性が確認された。
【００２８】
上述した実施態様は、本考案の一例を示したものであり、ペットの種類、成長度等により、容器の大きさ、形状等は任意に変更することができる。
【図面の簡単な説明】
【００２９】
【図１】本考案のペットフード製品の全体斜視図である。
【図２】同じく底面図である。
【図３】同じく蓋材を開封した状態の全体斜視図である。
【図４】蓋材を構成する多層シートの断面説明図である。
【図５】容器本体を構成する多層シートの断面説明図である。
【符号の説明】
【００３０】
１は容器本体
１ａは段縁部
１ｂはフランジ部
１ｃは凹部
２は蓋材
２ａはタブ部
１０は容器本体の内層シート
１１，１１は同じく接着シート
１２，１２は同じく上下層シート
２０は蓋材の内層シート
２１は同じく上層シート
２２は同じく下層シート
【図１】
0003134051.tif 000003
【図２】
0003134051.tif 000004
【図３】
0003134051.tif 000005
【図４】
0003134051.tif 000006
【図５】
0003134051.tif 000007